(57)【要約】【課題】イメージサークルの異なるカメラを使用する場合に、本来の画角により近い画角での撮影を可能とするカメラシステム及びアダプタを提供する。【解決手段】第１のカメラシステムに対応したカメラ本体３０を一方の着脱部に取り付け可能で、かつ第１のカメラシステムのイメージサークルとは異なるイメージサークルを有する第２のカメラシステムに対応した交換レンズ２０を他方の着脱部に取り付け可能なアダプタ５０であって、アダプタ５０は、カメラ本体３０及び交換レンズ２０の間の撮影光路中に、ワイドコンバージョン光学系５１を配置する。【選択図】  図４
2010028328.tif 000002
【特許請求の範囲】
【請求項１】
第１のカメラシステムに対応したカメラを一方の着脱部に取り付け可能で、かつ第１のカメラシステムのイメージサークルとは異なるイメージサークルを有する第２のカメラシステムに対応した交換レンズを他方の着脱部に取り付け可能なアダプタを有するカメラシステムにおいて、
上記アダプタは、カメラ及び交換レンズ間の撮影光路中に、ワイドコンバージョン光学系を配置することを特徴とするカメラシステム。
【請求項２】
上記第１のカメラシステムのイメージサークルΦｄ１と、上記第２のカメラシステムのイメージサークルΦｄ２は、
Φｄ１＜Φｄ２
の関係であることを特徴とする請求項１に記載のカメラシステム。
【請求項３】
第１のカメラシステムに対応したカメラを一方の着脱部に取り付け可能で、かつ第１のカメラシステムのイメージサークルとは異なるイメージサークルを有する第２のカメラシステムに対応した交換レンズを他方の着脱部に取り付け可能なアダプタにおいて、
上記アダプタは、カメラ及びレンズ間の撮影光路中に、ワイドコンバージョン光学系を配置することを特徴とするアダプタ。
【請求項４】
上記第１のカメラシステムのイメージサークルΦｄ１と、上記第２のカメラシステムのイメージサークルΦｄ２は、
Φｄ１＜Φｄ２
の関係であることを特徴とする請求項３に記載のアダプタ。
【請求項５】
第１のカメラシステムに対応したカメラを一方の着脱部に取り付け可能で、かつ第１のカメラシステムのイメージサークルとは異なるイメージサークルを有する第２のカメラシステムに対応した交換レンズを他方の着脱部に取り付け可能なアダプタにおいて、
上記アダプタは、カメラ及び交換レンズ間の撮影光路中に、上記イメージサークルの大きさを小さくするコンバージョン光学系を配置することを特徴とするアダプタ。
【請求項６】
上記第１のカメラシステムのイメージサークルΦｄ１と、上記第２のカメラシステムのイメージサークルΦｄ２は、
Φｄ１＜Φｄ２
の関係であることを特徴とする請求項５に記載のアダプタ。
【請求項７】
上記第１のカメラシステムのイメージサークルΦｄ１と、上記第２のカメラシステムのイメージサークルΦｄ２とすると、上記コンバージョン光学系の倍率は、
Φｄ１／Φｄ２
であることを特徴とする請求項５に記載のアダプタ。
【発明の詳細な説明】
【技術分野】
【０００１】
本発明は、カメラシステム及びアダプタに関し、詳しくは、イメージサークルの異なるカメラシステム間で使用することのできるカメラシステム及びアダプタに関する。
【背景技術】
【０００２】
近年、撮影装置としてはデジタルカメラが一般的に用いられている。従来はフィルムカメラが一般的に使用されており、このフィルムカメラ用の交換レンズをデジタルカメラにも装着できるようにアダプタが市販されている。
【０００３】
例えば、特許文献１には、本来の有効サイズよりも小さい有効画面のカメラ本体に装着するためのアダプタが開示されている。このアダプタは、３５ミリ銀塩カメラの交換レンズをデジタルビデオカメラ本体に装着するためのものであって、アダプタを介挿することにより、レンズと撮像素子であるＣＣＤとの間に色分解プリズムを挿入するための長いバックフォーカスを確保できるようにしている。
【特許文献１】特開平１１−１４２７３２号公報
【発明の開示】
【発明が解決しようとする課題】
【０００４】
このように、イメージサークルの異なるカメラシステム間でも、交換レンズを利用できるようにしたアダプタは提案されている。しかし、このようなアダプタを装着した場合には、その交換レンズが有する撮影画角の一部しか使用することができない。すなわち、本来のイメージサークルよりも小さいイメージサークルのカメラ本体に装着して使用することから、本来の画角よりも狭い画角、言い換えると、より望遠系の画角での撮影となってしまう。
【０００５】
このため、望遠系の撮影時には、より望遠効果を発揮することが可能であるが、広角系の撮影では所望の撮影を行えないことが多くなってしまう。望遠レンズ、標準レンズ、広角レンズと揃えたユーザであっても、小さいイメージサークルのカメラにアダプタを介してこれらのレンズを装着する場合には、広角レンズとしての機能を果たさない場合がある。
【０００６】
本発明は、このような事情を鑑みてなされたものであり、イメージサークルの異なるカメラを使用する場合に、本来の画角により近い画角での撮影を可能とするカメラシステム及びアダプタを提供することを目的とする。
【課題を解決するための手段】
【０００７】
上記目的を達成するため第１の発明に係わるカメラシステムは、第１のカメラシステムに対応したカメラを一方の着脱部に取り付け可能で、かつ第１のカメラシステムのイメージサークルとは異なるイメージサークルを有する第２のカメラシステムに対応した交換レンズを他方の着脱部に取り付け可能なアダプタを有するカメラシステムにおいて、上記アダプタは、カメラ及び交換レンズ間の撮影光路中に、ワイドコンバージョン光学系を配置する。
【０００８】
第２の発明に係わるカメラシステムは、上記第１の発明において、上記第１のカメラシステムのイメージサークルΦｄ１と、上記第２のカメラシステムのイメージサークルΦｄ２は、Φｄ１＜Φｄ２  の関係である。
【０００９】
第３の発明に係わるアダプタは、第１のカメラシステムに対応したカメラを一方の着脱部に取り付け可能で、かつ第１のカメラシステムのイメージサークルとは異なるイメージサークルを有する第２のカメラシステムに対応した交換レンズを他方の着脱部に取り付け可能なアダプタにおいて、上記アダプタは、カメラ及びレンズ間の撮影光路中に、ワイドコンバージョン光学系を配置する。
【００１０】
第４の発明に係わるアダプタは、上記第３の発明において、上記第１のカメラシステムのイメージサークルΦｄ１と、上記第２のカメラシステムのイメージサークルΦｄ２は、Φｄ１＜Φｄ２  の関係である。
【００１１】
第５の発明に係わるアダプタは、第１のカメラシステムに対応したカメラを一方の着脱部に取り付け可能で、かつ第１のカメラシステムのイメージサークルとは異なるイメージサークルを有する第２のカメラシステムに対応した交換レンズを他方の着脱部に取り付け可能なアダプタにおいて、上記アダプタは、カメラ及び交換レンズ間の撮影光路中に、上記イメージサークルの大きさを小さくするコンバージョン光学系を配置する。
【００１２】
第６の発明に係わるアダプタは、上記第５の発明において、上記第１のカメラシステムのイメージサークルΦｄ１と、上記第２のカメラシステムのイメージサークルΦｄ２は、Φｄ１＜Φｄ２  の関係である。
第７の発明に係わるアダプタは、上記第５の発明において、上記第１のカメラシステムのイメージサークルΦｄ１と、上記第２のカメラシステムのイメージサークルΦｄ２とすると、上記コンバージョン光学系の倍率は、Φｄ１／Φｄ２  である。
【発明の効果】
【００１３】
本発明によれば、イメージサークルの異なるカメラを使用する場合に、本来の画角により近い画角での撮影を可能とするカメラシステム及びアダプタを提供することができる。
【発明を実施するための最良の形態】
【００１４】
以下、図面に従って本発明を適用したデジタルカメラを用いて好ましい一実施形態について説明する。図１は、本発明の一実施形態に係わるデジタルカメラの内部機構について、交換レンズの光軸方向に沿った内部構成ブロック図であり、図２は、このデジタルカメラの正面側から見た外観斜視図である。
【００１５】
デジタルカメラは交換レンズ１０とカメラ本体３０とから構成されている。交換レンズ１０およびカメラ本体３０は、第１のカメラシステムに適合している。交換レンズ１０内には、撮影光学系１１が配置されており、この撮影光学系１１によって被写体像が形成される。なお、撮影光学系１１のイメージサークルはΦｄ１である。
【００１６】
カメラ本体３０内には、フォーカルプレーンシャッタ３１、撮像素子３２、液晶モニタ３３、およびファインダ３４等が配置されている。フォーカルプレーンシャッタ３１は、撮影光学系１１の光軸上に配置されており、被写体光束を所定の露光時間の間だけ、通過させる。
【００１７】
フォーカルプレーンシャッタ３１の背後であって、かつ撮影光学系１１の光軸上の被写体像の結像平面近傍に、撮像素子３２が配置されている。この撮像素子３２は、撮影光学系１１によって結像された被写体像を光電変換し、画像信号を出力する。撮像素子３２としては、ＣＣＤ（Charge Coupled Device）やＣＭＯＳ（Complementary Metal Oxide Semiconductor）等の２次元撮像素子を利用することができる。撮像素子３２のサイズは、撮影光学系１１のイメージサークルΦｄ１を考慮して決められている。
【００１８】
撮像素子３２の背後には、液晶モニタ３３が配置されている。液晶モニタ３３はライブビュー表示、記録済みの画像データの再生表示および各種メニューモード等の各種表示を行う。なお、液晶モニタ３３はカメラ本体３０の背面に表示面が露出するように配置されるが、撮影者が観察できる位置であれば、背面に限らないし、また液晶に限らず有機ＥＬディスプレイ等、他の表示装置でも構わない。さらに、固定式に限らず、可動式のモニタであってもよい。
【００１９】
カメラ本体３０内部の上部には、ファインダ３４が配置されている。このファインダ３４は、電子ビューファインダ（ＥＶＦ）であり、撮像素子３２によって取得された画像信号に基づいて被写体像を表示する小型の液晶モニタと、この液晶モニタを観察するための接眼光学系等から構成されている。ファインダ３４および液晶モニタ３３のいずれによっても、被写体像を観察することができる。
【００２０】
カメラ本体３０の上面には、図２に示すように、レリーズ釦３５が配置されている。レリーズ釦３５の半押しによってピント合わせや測光等の撮影準備動作を行い、全押しによって露光等の撮影動作を行う。
【００２１】
次に、第１のカメラシステムに適合しているカメラ本体３０に、第２のカメラシステムに適合している交換レンズ２０を装着する場合について説明する。図３は、交換レンズ２０をマウント変換用のアダプタ４０を介してカメラ本体３０に装着した状態における、撮影光学系２１の光軸方向に沿った内部構成ブロック図である。
【００２２】
交換レンズ２０内には、第１のカメラシステムとは異なる第２のカメラシステムに適合した撮影光学系２１が配置されている。この撮影光学系２１のフランジバックは、撮影光学系１１のフランジバックより長く、またイメージサークルはΦｄ１より大きいΦｄ２（すなわち、Φｄ１＜Φｄ２）で設計されている。このため、撮像素子３２は、イメージサークルΦｄ２によって形成される被写体像の全部を撮像することができない。
【００２３】
アダプタ４０の一方側は交換レンズ２０の装着面に着脱するための脱着部が設けられており、一方、アダプタ４０の他方側にはカメラ本体３０の装着面に着脱するための脱着部が設けられている。また、アダプタ４０の内部には、光学系は配置されておらず、撮影光学系２１による被写体光束をそのままカメラ本体３０側に通過させる。なお、アダプタ４０には、カメラ本体３０と交換レンズ２０との間で通信を行うための通信ラインとそのための通信端子を設けても良い。
【００２４】
次に、このカメラ本体３０に、本発明の一実施形態におけるワイドコンバージョン光学系を内蔵したアダプタ５０を装着する場合について説明する。図４は、交換レンズ２０をアダプタ５０を介してカメラ本体３０に装着した状態における、撮影光学系２１の光軸方向に沿った内部構成ブロック図である。
【００２５】
図４における交換レンズ２０の撮影光学系２１は、図３に示したものと同じであり、イメージサークルはΦｄ２である。また、カメラ本体３０も図３に示したものと同じである。アダプタ５０の一方側は、交換レンズ２０の装着面に着脱するための脱着部が設けられており、またアダプタ５０の他方側は、カメラ本体３０の装着面に着脱するための脱着部が設けられている。なお、アダプタ５０には、カメラ本体３０と交換レンズ２０との間で通信を行うための通信ラインとそのための通信端子を設けても良い。
【００２６】
また、アダプタ５０の内部であって、撮影光学系２１の光路中には、ワイドコンバージョン光学系５１が設けられている。このワイドコンバージョン光学系５１の倍率は、
倍率＝Φｄ１／Φｄ２
である。
【００２７】
ワイドコンバージョン光学系５１の倍率を、Φｄ１／Φｄ２とした場合における、液晶モニタ３３またはファインダ３４における被写体像の表示について、図５を用いて説明する。図５（ａ）は、イメージサークルΦｄ２の交換レンズ２０を、この交換レンズ２０を用いる第２のカメラシステムに適合したカメラ本体（不図示）に装着した場合において、液晶モニタ３３等における表示を示す。
【００２８】
図５（ｂ）は図３に示すようなイメージサークルΦｄ２の交換レンズ２０をアダプタ４０を介して、第１のカメラシステムに適合したカメラ本体３０に装着した場合において、液晶モニタ３３等における表示を示す。また、図５（ｃ）は図４に示すようなイメージサークルΦｄ２の交換レンズ２０をアダプタ５０を介してカメラ本体３０に装着した場合において、液晶モニタ３３等における表示を示す。
【００２９】
図５（ａ）は、イメージサークルΦｄ２が大きいレンズの本来の画角を示しており、この被写体を、マウント変換用のアダプタ４０を介してカメラ本体３０に装着すると、イメージサークルΦｄ２のうちの一部分しか撮像しないことから、図５（ｂ）に示すように、望遠系のレンズで撮影したように、拡大された画像となる。
【００３０】
一方、交換レンズ２０をワイドコンバージョン光学系５１の内蔵のアダプタ５０を介してカメラ本体３０に装着すると、ワイドコンバージョン光学系５１によって、図５（ａ）とほぼ同様な画角で被写体像を生成する。すなわち、ワイドコンバージョン光学系５１の倍率がΦｄ１／Φｄ２であることから、イメージサークルがほぼΦｄ１となり、このため、交換レンズ２０の本来のシステムで使用する場合とほぼ同じ画角の被写体像を形成することができる。
【００３１】
なお、本実施形態の説明においては、コンバージョン光学系５１の倍率ＢをΦｄ１／Φｄ２としたが、厳密に上記と同一でなくても良く、ほぼ同じくらい（Ｂ≒Φｄ１／Φｄ２）でも良いし、例えば、Ｂ＝２×Φｄ１／Φｄ２であっても良い。この場合には、同じ画角とはならないが、より本来の画角に近づけるので、違和感を和らげることができる。
【００３２】
また、本実施形態においては、イメージサークルがΦｄ１＜Φｄ２となるように、アダプタ５０の内蔵光学系を決めていたが、これに限らず、焦点距離が短焦点距離となるように決めてもよい。すなわち、交換レンズ２０の焦点距離より、交換レンズ２０とアダプタ５０の内蔵光学系の合成焦点距離を短焦点距離とすれば良い。
【００３３】
以上、説明したように、本実施形態においては、アダプタ５０は、カメラ及び交換レンズ間の撮影光路中に、ワイドコンバージョン光学系を配置している。このため、本来の画角により近い画角での撮影を可能としている。
【００３４】
なお、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。いずれにしても、異なる光学システムを採用する撮影のための機器であれば、本発明を適用することができる。
【００３５】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００３６】
【図１】本発明の一実施形態に係わるデジタルカメラの内部機構について、撮影レンズの光軸方向に沿った内部構成ブロック図である。
【図２】本発明の一実施形態に係るデジタルカメラの正面側から見た外観斜視図である。
【図３】本発明の一実施形態に係わるデジタルカメラにおいて、交換レンズ２０をマウント変換用のアダプタ４０を介してカメラ本体３０に装着した状態における、撮影光学系２１の光軸方向に沿った内部構成ブロック図である。
【図４】本発明の一実施形態に係わるデジタルカメラにおいて、交換レンズ２０をワイドコンバージョン光学系内蔵５１のアダプタ５０を介してカメラ本体３０に装着した状態における、撮影光学系２１の光軸方向に沿った内部構成ブロック図である。
【図５】本発明の一実施形態におけるデジタルカメラにおいて、被写体像の見え方を示す図であって、（ａ）は交換レンズ２０の本来の画角での被写体像であり、（ｂ）はマウント変換用のアダプタ４０を装着した場合における被写体像であり、（ｃ）はワイドコンバージョン光学系５１内蔵のアダプタ５０を装着した場合における被写体像を示す。
【符号の説明】
【００３７】
１０・・・交換レンズ、１１・・・撮影光学系、２０・・・交換レンズ、２１・・・撮影光学系、３０・・・カメラ本体、３１・・・フォーカルプレーンシャッタ、３２・・・撮像素子、３３・・・液晶モニタ、３４・・・ファインダ、３５・・・レリーズ釦、４０・・・アダプタ、５０・・・アダプタ、５１・・・ワイドコンバージョン光学系
【図１】
2010028328.tif 000003
【図２】
2010028328.tif 000004
【図３】
2010028328.tif 000005
【図４】
2010028328.tif 000006
【図５】
2010028328.tif 000007